(57)【要約】      （修正有）【課題】電子マネーを利用して商品の電子決済を行う自動販売機の販売を促進することができる自動販売機システムを提供すること。【解決手段】利用者が所有する携帯端末機器５０に内蔵され、電子マネー情報が記録されたＩＣ記録媒体５０と、商品を販売する自動販売機１０とを備える。ＩＣ記録媒体５０は、電子マネー情報とポイント情報格納部５５を備える。自動販売機１０は、商品選択手段１２と、ＩＣ記録媒体５０に対して電子マネー情報及びポイント情報のリーダライタ３３と、商品選択手段１２による選択が行われ、リーダライタ３３を通じて電子マネー情報及びポイント情報が与えられた場合に、電子マネー情報の残高が選択された商品価格以上であることを条件に電子マネー情報から商品価格に相当する金額を減算する電子決済処理を行う決済処理部３１と、ポイントの加算処理を行なうポイント算出部３２とを備える。【選択図】図５
2008059526.tif 000002
【特許請求の範囲】
【請求項１】
利用者が所有する携帯端末機器に内蔵され、電子マネー情報が記録されたＩＣ記録媒体と、機内の商品を販売する自動販売機とを備え、該記録媒体の電子マネー情報を用いて自動販売機の商品の電子決済を行う自動販売機システムにおいて、
前記ＩＣ記録媒体は、前記電子マネー情報とは個別にポイント情報を格納するためのポイント情報格納部を備え、
前記自動販売機は、
商品を選択するための商品選択手段と、
前記ＩＣ記録媒体が通信可能な位置に配置された場合に、該ＩＣ記録媒体に対して前記電子マネー情報及びポイント情報の読み出し及び書き込みを行うリーダライタと、
前記商品選択手段による選択が行われ、且つ、前記リーダライタを通じて前記電子マネー情報及びポイント情報が与えられた場合に、前記電子マネー情報の残高が選択された商品価格以上であることを条件に前記電子マネー情報から商品価格に相当する金額を減算する電子決済処理を行う決済処理部と、該電子決済処理が完了した後に、前記リーダライタを通じて前記ＩＣ記録媒体のポイント情報に対して選択された商品価格に対応するポイントの加算処理を行なうポイント算出部とを備え、前記電子決済処理および前記ポイント加算処理が完了した後に商品の払い出しを行う制御手段と
を備えたことを特徴とする自動販売機システム。
【請求項２】
前記制御手段は、
前記商品選択手段による選択が行われ、且つ、前記リーダライタを通じて前記ポイント情報が与えられた場合に、取得したＩＣ記録媒体のポイント情報が、選択された商品と交換可能な交換ポイント数に達していることを条件に、前記電子決済処理およびポイントの加算処理に代え、前記ポイント算出部を通じて前記ポイント情報から前記交換ポイント数を減算する減算処理を行い、その後に商品の払い出しを行うことを特徴とする請求項１に記載の自動販売機システム。
【請求項３】
前記制御手段は、
投入された貨幣が前記商品選択手段によって選択された商品の販売価格以上となり、且つ前記リーダライタを通じてポイント情報が与えられた場合に、商品の払い出しを行い、この払い出し以降に前記電子決済処理を経ることなくポイントの加算処理を行うことを特徴とする請求項１に記載の自動販売機システム。
【請求項４】
累積ポイントを格納するための累積ポイント格納部を備えた磁気記録媒体をさらに備え、
前記自動販売機は、
前記磁気記録媒体が通信可能な位置に配置された場合に該磁気記録媒体に対して累積ポイントの読み出し及び書き込みを行う第２のリーダライタを備え、
前記制御手段は、
前記商品選択手段による選択が行われ、投入された貨幣が選択された商品の販売価格以上となり、且つ、前記第２のリーダライタを通じて前記累積ポイントが与えられた場合に、前記ＩＣ記録媒体の電子決済処理及びポイントの加算処理に代えて、前記磁気記録媒体へのポイントの加算処理を行う第２のポイント算出部とを備え、前記磁気記録媒体へのポイント加算処理が完了した後に商品の払い出しを行うことを特徴とする請求項１に記載の自動販売機システム。
【請求項５】
前記制御手段は、
前記第２のリーダライタを通じて前記磁気記録媒体の累積ポイントが与えられ、且つ、前記リーダライタを通じて前記ＩＣ記録媒体のポイント情報が与えられた場合に、前記ポイント算出部を通じて、前記磁気記録媒体の累積ポイントに相当するポイント数を前記ＩＣ記録媒体のポイント情報に加算する処理を行い、前記第２のポイント算出部を通じて、前記第２の記録媒体のポイント情報を０にする処理を行うことを特徴とする請求項４に記載の自動販売機システム。
【発明の詳細な説明】
【技術分野】
【０００１】
本発明は、利用者が自動販売機で商品を購入した際に、商品価格に対応するポイントを利用者に付与する自動販売機システムに関するものである。
【背景技術】
【０００２】
従来、自動販売機の商品販売促進策として、ポイントカード方式が普及している（例えば、特許文献１、２を参照）。このポイントカード方式は、利用者が自動販売機で商品を購入した際に、利用実績データとして購入商品価格に対応するポイントを磁気カードに記録し、そのポイント数が所定のポイント数に達した場合に、貯めたポイントを自動販売機の商品と交換したり、あるいはキャンペーン商品等と交換できるサービスを提供する販売促進方式である。このポイントカード方式を導入した自動販売機には、カード発行機と、磁気カード用のリーダライタが搭載されている。カード発行機は、累積ポイントを記録する磁気カードを持っていない利用者が商品を購入した場合に新規のカードを発行するものである。リーダライタは、商品購入時に利用者が磁気カードをカード挿入口に挿入した際に、磁気カードに記録されている累積ポイントを読み出し、この累積ポイントに、購入商品に対応するポイントを加算し、磁気カードに新たな累積ポイントを書き込んでカードを返却するものである。
【０００３】
【特許文献１】特開２００２−８３３４５号公報
【特許文献２】特開２００１−２８３２９４号公報
【発明の開示】
【発明が解決しようとする課題】
【０００４】
ところで、近年、電子マネーを利用した決済システムの普及は目覚しいものがあり、自動販売機においても、現金購入だけでなく、電子マネーにより商品をキャッシュレスで購入することができるシステムが実用化されている。電子マネーは、貨幣情報を電子情報として電子マネーカード中に格納させ、この電子マネーカードを電子財布として利用するものである。電子マネーカードは、例えば、増減される貨幣情報を電子マネー情報として記憶するＩＣチップと、所定の電子マネー端末との間で非接触でデータの授受を行うアンテナとを備えた非接触型ＩＣカードである。このような電子マネーカードは、ＩＣカードのようなカード型に限らず、最近では、普及率の極めて高い携帯電話機中に上記ＩＣチップとアンテナを内蔵させることで、携帯電話機を電子マネー端末にかざすタイプも出現している。
【０００５】
上記の電子決済システムを導入した自動販売機においては、キャッシュレスで商品を購入できるという利便性はあるが、ポイントを付与する機能がないため、ポイントを貯めたいと思っている利用者が買い控えたり、あるいは、特許文献１、２に示されるような磁気カードに対応した他の自動販売機で購入することになり、自動販売機の販売促進を図ることができないという問題がある。一方、特許文献１、２に示される磁気カードにあっても、利用者は自動販売機専用のポイントカードを常に携帯しなければならないという煩わしさがある。
【０００６】
本発明は、上記の点に鑑み、電子マネーを利用して商品の電子決済を行う自動販売機の販売を促進することができる自動販売機システムを提供することを目的とする。
【課題を解決するための手段】
【０００７】
本発明の請求項１に係る自動販売機システムは、利用者が所有する携帯端末機器に内蔵され、電子マネー情報が記録されたＩＣ記録媒体と、機内の商品を販売する自動販売機とを備え、該記録媒体の電子マネー情報を用いて自動販売機の商品の電子決済を行う自動販売機システムにおいて、前記ＩＣ記録媒体は、前記電子マネー情報とは個別にポイント情報を格納するためのポイント情報格納部を備え、前記自動販売機は、商品を選択するための商品選択手段と、前記ＩＣ記録媒体が通信可能な位置に配置された場合に、該ＩＣ記録媒体に対して前記電子マネー情報及びポイント情報の読み出し及び書き込みを行うリーダライタと、前記商品選択手段による選択が行われ、且つ、前記リーダライタを通じて前記電子マネー情報及びポイント情報が与えられた場合に、前記電子マネー情報の残高が選択された商品価格以上であることを条件に前記電子マネー情報から商品価格に相当する金額を減算する電子決済処理を行う決済処理部と、該電子決済処理が完了した後に、前記リーダライタを通じて前記ＩＣ記録媒体のポイント情報に対して選択された商品価格に対応するポイントの加算処理を行なうポイント算出部とを備え、前記電子決済処理および前記ポイント加算処理が完了した後に商品の払い出しを行う制御手段とを備えたことを特徴とする。
【０００８】
また、本発明の請求項２に係る自動販売機システムは、上記請求項１における制御手段が、前記商品選択手段による選択が行われ、且つ、前記リーダライタを通じて前記ポイント情報が与えられた場合に、取得したＩＣ記録媒体のポイント情報が、選択された商品と交換可能な交換ポイント数に達していることを条件に、前記電子決済処理およびポイントの加算処理に代え、前記ポイント算出部を通じて前記ポイント情報から前記交換ポイント数を減算する減算処理を行い、その後に商品の払い出しを行うことを特徴とする。
【０００９】
また、本発明の請求項３に係る自動販売機システムは、上記請求項１における前記制御手段が、投入された貨幣が前記商品選択手段によって選択された商品の販売価格以上となり、且つ前記リーダライタを通じてポイント情報が与えられた場合に、商品の払い出しを行い、この払い出し以降に前記電子決済処理を経ることなくポイントの加算処理を行うことを特徴とする。
【００１０】
また、本発明の請求項４に係る自動販売機システムは、上記請求項１において、累積ポイントを格納するための累積ポイント格納部を備えた磁気記録媒体をさらに備え、前記自動販売機は、前記磁気記録媒体が通信可能な位置に配置された場合に該磁気記録媒体に対して累積ポイントの読み出し及び書き込みを行う第２のリーダライタを備え、前記制御手段は、前記商品選択手段による選択が行われ、投入された貨幣が選択された商品の販売価格以上となり、且つ、前記第２のリーダライタを通じて前記累積ポイントが与えられた場合に、前記ＩＣ記録媒体の電子決済処理及びポイントの加算処理に代えて、前記磁気記録媒体へのポイントの加算処理を行う第２のポイント算出部とを備え、前記磁気記録媒体へのポイント加算処理が完了した後に商品の払い出しを行うことを特徴とする。
【００１１】
また、本発明の請求項５に係る自動販売機システムは、上記請求項４における制御手段が、前記第２のリーダライタを通じて前記磁気記録媒体の累積ポイントが与えられ、且つ、た場合に、前記ポイント算出部を通じて、前記磁気記録媒体の累積ポイントに相当するポイント数を前記ＩＣ記録媒体のポイント情報に加算する処理を行い、前記第２のポイント算出部を通じて、前記第２の記録媒体のポイント情報を０にする処理を行うことを特徴とする。
【発明の効果】
【００１２】
本発明に係る自動販売機システムによれば、電子マネーを利用した決済システムを導入した自動販売機に、ＩＣ記録媒体に格納された電子マネー情報及びポイント情報の読み出し及び書き込みを行うリーダライタを搭載し、商品を購入した際にこのＩＣ記録媒体にポイントを加算する構成としたことで、利用者による商品の購入意欲を促し、販売を促進することが可能となる。また、ＩＣ記録媒体として、普及率の極めて高い携帯電話機に内蔵されたものを適用した場合には、自動販売機専用のポイントカードを常に携帯しなければならないという利用者の煩わしさが解消し、磁気カードのポイントカードを適用する場合と比べて利便性が向上する。
【発明を実施するための最良の形態】
【００１３】
以下に図面を参照して、本発明に係る自動販売機システムの好適な実施の形態を詳細に説明する。
【００１４】
（実施の形態１）
図１は、本発明の実施の形態１である自動販売機システムに適用された自動販売機の正面図であり、図２は、実施の形態１の自動販売機システムのシステム構成の概略を示すブロック図である。この自動販売機システムは、電子マネーによる決済システムを導入した自動販売機１０と、利用者が所有する携帯端末機器に内蔵され、電子マネー情報が記録されたＩＣ記録媒体５０とから構成される。なお、後述するように、実施の形態１では携帯端末機器として携帯電話端末を適用している。
【００１５】
ここで例示する自動販売機１０は、複数種類の缶入り飲料、ペットボトル入り飲料等の商品を販売するためのものであり、本体キャビネット１及び外扉２を備えている。本体キャビネット１は、複数の鋼板を適宜組み合わせることによって構成したもので、前面が開口した直方体形状を有している。この本体キャビネット１の内部には、商品収容庫（図示せず）が収設されている。外扉２は、本体キャビネット１の一側縁部に支承され、本体キャビネット１の前面開口を覆うのに十分な大きさを有し、鋼材により構成されている。この外扉２の外表面側には、ディスプレイ室１１、商品選択釦１２、硬貨投入口１３、紙幣投入口１４、表示部１５、返却レバー１６、返却口１７、商品取出口１８及び通信部３４が配設してある。
【００１６】
ディスプレイ室１１は商品見本を利用者に視認させるためのものである。商品選択釦１２は、商品購入に際して利用者が所望の商品を選択するために操作する釦であり、ディスプレイ室１１に配設した商品見本ごとに用意してある。この商品選択釦１２は、内部に光源を有しており、商品選択釦１２の押下が有効な場合には点灯可能に構成されている。硬貨投入口１３は利用者が硬貨を投入するための開口であり、紙幣投入口１４は利用者が紙幣を投入するための開口である。硬貨投入口１３及び紙幣投入口１４から投入された貨幣は、外扉２の内表面側に配設された貨幣処理部２１（図２を参照）によって、貨幣が正規なものであるか否かが判別され、正規なものとして判別された場合には貨幣が内部に取り込まれる一方、正規な貨幣として判別されなかった場合には返却される。表示部１５は、貨幣の投入金額、販売中であるか否か、釣銭があるか否か等、各種情報を利用者に表示するためのものである。返却レバー１６は硬貨投入口１３又は紙幣投入口１４から投入した貨幣を返却指示、あるいは釣銭の返却指示をするためのものである。返却口１７は、貨幣処理部において識別できなかった硬貨、あるいは釣銭となる硬貨を利用者に返却するための開口である。商品取出口１８は、販売した商品を利用者に受け渡すための開口である。通信部３４は、後述するリーダライタ部に携帯電話端末５０がアクセスする領域である。また、図１には示されていないが、自動販売機２０は、商品収容庫に配設された商品収容ラックから商品を商品取出口１８に払い出すための商品搬出部２２を備えている。
【００１７】
図２に示すように、自動販売機１０は、制御系として、マスタ制御部１００を備えている。マスタ制御部１００は、販売制御部２５とカード制御部３０とから構成され、これら各制御部を統括的に処理するものである。
【００１８】
販売制御部２５は、自動販売機２０の販売動作を処理するものであり、上記の商品選択釦１２、表示部１５、貨幣処理部２１、商品搬出部２２等の機構が接続されている。なお、設定部２３は、自動販売機１０の設定情報を入力するためのものであり、例えば、後述する携帯電話端末５０に記録されたポイント情報が商品と交換可能なポイント数に達している場合に、このポイントを商品と交換することができる設定（ポイント交換設定）等を行うものである。
【００１９】
カード制御部３０は、自動販売機１０の利用者が所有する携帯電話端末５０に関する処理制御を行うためのものであり、マスタ制御部１００に対して従動的に動作する。カード制御部３０は決済処理部３１とポイント算出部３２から構成され、リーダライタ部３３が接続されている。リーダライタ部３３は、アクセス領域である通信部３４に携帯電話端末５０が配置された場合に、携帯電話端末５０に対して各種情報の読み出し及び書き込みを行うものであり、本実施形態では、携帯電話端末５０に対して非接触の状態で情報の読み書きを行うことのできる非接触式のリーダライタ部３３を適用している。
【００２０】
決済処理部３１は、リーダライタ部３３を通じて携帯電話端末５０の後述する電子マネー情報が与えられた場合に、電子決済処理の実施が可能となるものである。決済処理部３１の実施する電子決済処理とは、決済金額（商品価格）が与えられた場合に電子マネー情報から決済金額を減算する処理を実施するものである。
【００２１】
ポイント算出部３２は、リーダライタ部３３を通じて携帯電話端末５０の後述するポイント情報が与えられた場合に、決済処理部３１での電子決済処理又は現金決済処理が行われた後に、選択された商品価格に対応するポイントをこの累積ポイントに加算する処理を実施するものである。
【００２２】
一方、携帯電話端末５０は、通常の携帯電話機能（表示部、操作部、携帯電話通信機能部、ともに図示せず）を有する他、内部に非接触型のＩＣチップ（図示せず）が内蔵されたものである。図２に示すように、携帯電話端末５０は、ＩＣメモリ５１とＩＣ制御部５２とを備える。ＩＣメモリ５１は、電子マネー情報が格納された電子マネー情報格納部５４と、ポイント情報が格納されたポイント情報格納部５５とから構成されている。電子マネー情報は、決済処理を行う場合に代金として用いられる貨幣価値情報である。また、ポイント情報は、利用者が商品を購入する毎に利用実績データとして獲得したポイントを累積した情報である。また、ＩＣ制御部５２は、ＩＣメモリ５１に記録された電子マネー情報及びポイント情報の管理を主機能とするものである。
【００２３】
図３は、上述した自動販売機１０のマスタ制御部１００により実行される商品販売時の処理制御例を示す概略フローチャートである。以下、この図３を参照しながら、本発明の自動販売機システムにおいて、商品が選択された場合に電子決済処理とポイント加算処理とを行う例と、携帯電話端末５０に貯めたポイントを用いて商品を購入するポイント交換処理を行う例、現金で商品を購入した場合に携帯電話端末５０にポイント加算処理を行う例について説明する。
【００２４】
マスタ制御部１００は、貨幣処理部２１を介して、貨幣が投入されるか否かを監視している。利用者によって商品販売価格以上の貨幣が投入されずに（ステップＳ１：Ｎｏ）、商品選択釦１２が押下された場合には（ステップＳ２：Ｙｅｓ）、これらがマスタ制御部１００に与えられ、マスタ制御部１００は、表示部１５を通じて選択された商品選択釦１２の販売可能ランプのみを点灯させるとともに、引落額（商品価格に相当する金額）と選択された商品に対応するポイント数をカード制御部３０に送信し、リーダライタ部３３が携帯電話端末５０の読出待機状態になる（ステップＳ３）。ここで、所定時間内にリーダライタ部３３のアクセス領域である通信部３４に携帯電話端末５０が配置されなかった場合には、後述の処理を実施することなく今回の処理を終了する。
【００２５】
これに対し、所定時間内にリーダライタ部３３の通信部３４に携帯電話端末５０が配置された場合には（ステップＳ３：Ｙｅｓ）、マスタ制御部１００は、リーダライタ部３３を通じて携帯電話端末５０の電子マネー情報及びポイント情報の読出指令を送出し、携帯電話端末５０からの応答待機状態となる。自動販売機システムのマスタ制御部１００から読出指令が与えられると、携帯電話端末５０では、ＩＣ制御部５２がＩＣメモリ５１の電子マネー情報格納部５４に格納された電子マネー情報及びポイント情報格納部５５に格納されたポイント情報をマスタ制御部１００に応答する処理が実施される。
【００２６】
ここで、設定部２３においてポイント交換設定がされていない場合には（ステップＳ４：Ｎｏ）、以下の処理に進む。マスタ制御部１００は、リーダライタ部３３を通じて携帯電話端末５０から読出した電子マネー情報の残高が引落額以上であると判別した場合には（ステップＳ５：Ｙｅｓ）、決済処理部３１を通じて引落額を電子マネー残高から減額する処理を行う（ステップＳ６）。さらに、マスタ制御部１００は、決済処理部３１を通じて決済処理を行った後に、ポイント算出部３２を通じて商品価格に対応するポイントをポイント情報に加算する処理を行う（ステップＳ７）。電子決済及びポイント加算の記録完了信号が、携帯電話端末５０からマスタ制御部１００に送信されると、マスタ制御部１００は、商品搬出部２２を通じて商品を商品取出口１８に払い出し（ステップＳ８）、これによって販売動作が終了する。なお、ステップＳ５において、電子マネー情報の残高が引落額未満であると判別した場合には（ステップＳ５：Ｎｏ）、上述の処理を実施することなく処理を終了する。
【００２７】
一方、設定部２３においてポイント交換設定がされている場合には（ステップＳ４：Ｙｅｓ）、以下の処理に進む。マスタ制御部１００は、リーダライタ部３３を通じて携帯電話端末５０から読出したポイント情報のポイント数が、選択された商品と交換可能なポイント数に達していると判別した場合には(ステップＳ９：Ｙｅｓ)、決済処理部３１を通じて引落額を電子マネー残高から減額する処理及びポイント算出部３２を通じて商品価格に対応するポイントをポイント情報に加算する処理に代えて、ポイント算出部３２を通じて、ポイント情報からこの交換ポイント数を減算する処理を行う（ステップＳ１０）。ポイント減算の記録完了信号が、携帯電話端末５０からマスタ制御部１００に送信されると、マスタ制御部１００は商品搬出部２２を通じて商品を商品取出口に払い出し（ステップＳ１１）、これによって販売動作が終了する。
【００２８】
なお、ステップＳ９において、マスタ制御部１００が、携帯電話端末５０から読み出したポイント情報が選択された商品と交換可能なポイント数に達していないと判別した場合には（ステップＳ９：Ｎｏ）、上記のポイント交換処理は行わずに、電子決済処理とポイント加算処理を行うことになる。すなわち、ステップＳ５に進み、読み出した電子マネー情報の残高が選択された商品価格以上であれば（ステップＳ５：Ｙｅｓ）、マスタ制御部１００は、決済処理部３１を通じて引落額を電子マネー残高から減額する処理を行い（ステップＳ６）、この後、ポイント算出部３２を通じて、商品価格に対応するポイントをポイント情報に加算する処理を行う（ステップＳ７）。電子決済及びポイント加算の記録完了信号が、携帯電話端末５０からマスタ制御部１００に送信されると、マスタ制御部１００は、商品搬出部２２を通じて商品を商品取出口に払い出し（ステップＳ８）、販売動作が終了する。
【００２９】
次に、ステップＳ１において、利用者によって商品販売価格以上の貨幣が投入された場合における処理について説明する。マスタ制御部１００は、商品販売価格以上の貨幣が投入されたことを判別した場合に（ステップＳ１：Ｙｅｓ）、表示部１５を通じて販売可能な商品に対応する商品選択釦１２を点灯させる。次いで、商品選択釦１２が押下された場合には（ステップＳ１２：Ｙｅｓ）、選択された商品の販売可能ランプのみを点灯させ、現金決済処理を行い（ステップＳ１３）、商品搬出部２２を通じて商品を商品取出口に払い出す（ステップＳ１４）。ここで、マスタ制御部１００は、カード制御部３０に対して電子決済指示を送信せず、選択された商品に対応するポイント発行指示のみを送信し、タイマ（図示せず）によるカウントを開始し（ステップＳ１５）、リーダライタ部３３が携帯電話端末５０の読出待機状態になる（ステップＳ１６）。
【００３０】
タイマが予め設定した時間内にリーダライタ部３３のアクセス領域である通信部３４に携帯電話端末５０が配置された場合には（ステップＳ１６：Ｙｅｓ）、マスタ制御部１００は、リーダライタ部３３を通じて携帯電話端末５０のポイント情報の読出指令を送出し、携帯電話端末５０からの応答待機状態となる。マスタ制御部１００は、リーダライタ部３３を介して携帯電話端末５０のポイント情報を受け取ると、ポイント算出部３２を通じて、商品価格に対応するポイントを加算する処理を行う（ステップＳ１７）。ポイント加算の記録完了信号が、携帯電話端末５０からマスタ制御部１００に送信され、販売動作が終了する。なお、ステップＳ１６において携帯電話端末５０が配置されず（ステップＳ１６：Ｎｏ）、タイマが予め設定した時間をカウントアップすると（ステップＳ１８：Ｙｅｓ）、上記のポイント加算処理を実施することなく販売動作が終了する。
【００３１】
以上説明したように、この自動販売機システムにおいて、上記のステップＳ１〜ステップＳ７の処理を行った場合には、携帯電話端末５０の電子マネーで決済を行うとともに、携帯電話端末５０にポイントを加算することができるようになる。その結果、利用者による商品の購入意欲を促し、販売を促進することが可能となる。また、極めて普及率の高い携帯電話機に内蔵されたＩＣ記録媒体を適用したことで、従来の磁気カードのポイントカード方式のように、自動販売機専用のポイントカードを常に携帯しなければならないという利用者の煩わしさが解消し利便性が向上する。
【００３２】
また、上記のステップＳ１〜Ｓ４，Ｓ９，Ｓ１０の処理を行った場合には、携帯電話端末５０に貯めたポイント数が所定のポイント数に達した場合にこのポイントを自動販売機の商品と交換できるようになる。さらに、上記のステップＳ１，Ｓ１２〜Ｓ１７の処理を行った場合には、現金で商品を購入した際にも携帯電話端末５０にポイントを加算できるようになるから、さらなる販売促進が期待できる。
【００３３】
（実施の形態２）
次に、本発明の実施の形態２である自動販売機システムについて説明する。図４は、実施の形態２の自動販売機システムに適用された自動販売機の正面図であり、図５は、実施の形態２のシステム構成の概略を示すブロック図である。なお、図１及び図２と同一の構成については同一の符号を使用し、詳しい説明を省略する。この自動販売機システムは、電子マネーによる決済システムを導入した自動販売機１０と、利用者が所有する携帯端末機器に内蔵され、電子マネー情報が記録された携帯電話端末５０と、磁気カード４０とから構成される。
【００３４】
図４に示すように、ここで例示する自動販売機１０は、複数種類の缶入り飲料、ペットボトル入り飲料等の商品を販売するためのものであり、本体キャビネット１及び外扉２を備えている。外扉２の外表面側には、ディスプレイ室１１、商品選択釦１２、硬貨投入口１３、紙幣投入口１４、表示部１５、返却レバー１６、返却口１７、商品取出口１８、携帯電話端末５０のアクセス領域である通信部３４が配設されている他、通信部３４の下方に、ポイント数表示器４１ａを有する磁気カード挿入／排出口４１が配設されている。
【００３５】
図５に示すように、自動販売機１０は、制御系として、マスタ制御部１００を備えている。マスタ制御部１００は、販売制御部２５、カード制御部３０及び磁気カード制御部３５とから構成され、これら各制御部を統括的に処理するものである。
【００３６】
販売制御部２５は、自動販売機２０の販売動作を処理するものであり、上記の商品選択釦１２、表示部１５、貨幣処理部２１、商品搬出部２２等の機構が接続されている。なお、設定部２３は、自動販売機１０の設定情報を入力するためのものであり、実施形態１と同様に、例えば、携帯電話端末５０のポイント情報を商品と交換することができるポイント交換設定を行うものである。
【００３７】
カード制御部３０は、実施形態１と同様に携帯電話端末５０に関する処理制御を行うためのものであり、マスタ制御部１００に対して従動的に動作する。カード制御部３０は、実施形態１と同様に決済処理部３１とポイント算出部３２から構成され、リーダライタ部３３が接続されている。
【００３８】
一方、磁気カード制御部３５は、自動販売機１０の利用者が所有する磁気カード４０に関する処理制御を行うためのものであり、カード制御部３０と同様に、マスタ制御部１００に対して従動的に動作する。磁気カード制御部３５はポイント算出部３６を備えており、磁気カードリーダライタ部３７が接続されている。磁気カードリーダライタ部３７は、磁気カード挿入／排出口４１に磁気カード４０が挿入された場合に、磁気カード４０に対してポイント情報の読み出し及び書き込みを行うものである。ポイント算出部３６は、磁気カードリーダライタ部３７を通じて磁気カード４０の累積ポイントが与えられた場合に、選択された商品価格に対応するポイントをこのポイント情報に加算する処理を実施するものである。磁気カード４０は、カード内部に磁気的な記録部を有するものであり、利用者が商品を購入する毎に利用実績データとして獲得したポイントを累積して格納するための累積ポイント格納部４２を備えている。この磁気カード４０は、例えば、カード表面に帯状の磁気面が設けられているものを適用することができる。
【００３９】
図６及び図７は、上述した自動販売機１０のマスタ制御部１００により実行される商品販売時の処理制御例を示す概略フローチャートであり、図６はメインフローチャートであり、図７はサブフローチャートである。また、図６において処理「ＳＵＢ１」は上記で説明した図３のフローチャートを意味している。すなわち、図６において、磁気カード４０が挿入された場合には（ステップＳ２０：Ｙｅｓ）、図７の処理（ＳＵＢ２）に進み、磁気カードが挿入されなかった場合には（ステップＳ２０：Ｎｏ）、図３の処理（ＳＵＢ１）に進む。以下、図６及び図７を参照しながら、磁気カード４０が挿入された場合に磁気カード４０にポイント加算処理を行う例と、磁気カード４０のポイントを携帯電話端末５０のポイント情報に移行させる処理を行う例について説明する。
【００４０】
マスタ制御部１００は、貨幣処理部２１を介して、貨幣が投入されるか否かを監視するとともに、磁気カードリーダライタ部３７を介して、磁気カード４０が磁気カード挿入／排出口４１に挿入されるか否かを監視している。マスタ制御部１００は、磁気カード挿入／排出口４１に磁気カード４０が挿入された場合（ステップ２０：Ｙｅｓ）、磁気カードリーダライタ部３７に対して磁気カードの累積ポイントの読出指令を送出する。次いで、マスタ制御部１００は、商品販売価格以上の貨幣が投入されたことを判別した場合に（ステップＳ２１：Ｙｅｓ）、表示部１５を通じて販売可能な商品に対応する商品選択釦１２を点灯させる。利用者によって商品選択釦１２が押下された場合には（ステップＳ２２：Ｙｅｓ）、選択された商品の販売可能ランプのみを点灯させ、現金決済処理をすることになる（ステップＳ２３）。ところで、上記の商品選択釦１２が押下された時点で、マスタ制御部２５は、携帯電話端末５０の処理を制御するカード制御部３０に対して、一旦、ポイント加算指示を送信するが、磁気カードリーダライタ部３７を通じて磁気カード４０の累積ポイントを受け取ると、カード制御部３０に対してポイント加算をキャンセルする指示を送信する。従って、マスタ制御部１００がカード制御部３０に対してポイント加算をキャンセルする指示を送信した後に、仮に通信部３４に携帯電話端末５０が配置されたとしても、携帯電話端末５０のポイント情報にポイントが加算されることはない。現金決済が完了すると、マスタ制御部１００は、商品搬出部２２を通じて商品を商品取出口１８に払い出す（ステップＳ２４）。この後、マスタ制御部１００は、磁気カード制御部３０のポイント算出部３６を通じて、商品価格に対応するポイントを磁気カード４０のポイント情報に加算する処理を行い（ステップＳ２５）、磁気カード４０を磁気カード挿入／排出口４１から排出し（ステップＳ２６）、これにより販売動作が終了する。
【００４１】
なお、上記のステップＳ２０において、磁気カード４０が挿入されなかった場合には（ステップＳ２０：Ｎｏ）、実施形態１で説明した図３の処理（ＳＵＢ１）に進む。
【００４２】
また、上記のステップＳ２０からＳ２３までの間、すなわち、磁気カード４０が磁気カード挿入口／排出口４１に挿入されてから、マスタ制御部１００がカード制御部３０に対してポイント加算をキャンセルする指示を送信するまでの間に、携帯電話端末５０が通信部３４に配置された場合には、携帯電話端末５０へのポイント加算処理を行い、磁気カード４０へのポイント加算処理は行わずに磁気カード４０を排出する。
【００４３】
一方、マスタ制御部は、ステップＳ２１において、商品販売価格以上の貨幣が投入されたことを判別しなかった場合には（ステップＳ２１：Ｎｏ）、以下に説明するように、磁気カード４０の累積ポイントを携帯電話端末５０のポイント情報に加算する処理、すなわち磁気カード４０から携帯電話端末５０へのポイント移行処理に進むことになる。まず、マスタ制御部１００が、所定時間内に商品選択釦１２が押下されなかったと判別した場合には（ステップＳ２７：Ｎｏ）、カード制御部３０に対して、磁気カード４０から読み出した累積ポイントに相当するポイント数を、携帯電話端末５０のポイント情報に加算する指示を送信し、リーダライタ部３３が携帯電話端末５０の読出待機状態になる（ステップＳ２８）。この後、所定時間内にリーダライタ部３３の通信部３４に携帯電話端末５０が配置された場合には（ステップＳ２８：Ｙｅｓ）、マスタ制御部１００は、リーダライタ部３３に対して携帯電話端末５０の累積ポイント格納部４２に格納された累積ポイントの読出指令を送出し、ポイント算出部３２を通じて、磁気カード４０の累積ポイントに相当するポイント数を、携帯電話端末５０から読み出したポイント情報に加算する処理を行う（ステップＳ２９）。次いで、マスタ制御部１００は、カード制御部３０からポイント加算の記録完了信号を受け取ると、磁気カード制御部３５のポイント算出部３６を通じて、磁気カード４０のポイント数を０にする処理を行い（ステップＳ３０）、この後、磁気カード４０を排出する（ステップＳ２６）。この場合、磁気カード４０を排出せずに、自動販売機内に、ポイント数が０になった磁気カード４０を取り込む機構を設け、磁気カード４０を回収するようにしてもよい。
【００４４】
なお、ステップＳ２７において、商品選択釦１２が押された場合には（ステップＳ２７：Ｙｅｓ）、マスタ制御部２５は、選択された商品と交換可能なポイント数をカード制御部３０に送信し、磁気カード４０のポイント情報が、選択された商品と交換可能なポイント数に達していると判別した場合には（ステップＳ３１：Ｙｅｓ）、ポイント算出部３６を通じて、ポイント情報からこのポイント数を減算する（ステップＳ３２）。マスタ制御部１００は、磁気カード制御部３５からポイント減算の記録完了信号を受け取ると、商品搬出部２２を通じて商品を商品取出口に払い出し（ステップＳ３３）、この後、磁気カード４０を排出することにより販売動作が終了する（ステップＳ２６）。
【００４５】
以上説明したように、この自動販売機システムにおいて、上記のステップＳ２０〜ステップＳ２５の処理を行った場合には、磁気カード４０にのみポイントを加算することができるので、携帯電話端末５０のリーダライタ部３３と、磁気カード４０のリーダライタ部３７の両方を搭載した構成としても、携帯電話端末５０と磁気カード４０の両方にポイントが付与されるようなことがなく、ポイントの２重発行を防止することができる。
【００４６】
また、上記のステップＳ２０，Ｓ２１，Ｓ２７〜Ｓ３０の処理を行った場合には、磁気カード４０に貯めていたポイントを携帯電話端末５０に移行することができるので、利用者が磁気カードでのポイント収集をやめて、新たに携帯電話端末にポイントを収集することになった場合に、磁気カードに貯めていたポイントを無駄にすることがなくなるから、さらなる販売促進が期待できるとともに、磁気カードでのポイントカード方式から携帯電話端末を用いたポイントカード方式への移行の促進も期待できる。
【００４７】
なお、実施の形態１、２では、電子マネー情報が記録されたＩＣ記録媒体を内蔵した携帯端末機器として携帯電話機を適用したが、これに限定されないのはもちろんであり、ＩＣチップが内蔵されたＰＤＡ(Personal Digital Assistants)等の他の携帯端末機器、又は、カード形状のもの（ＩＣカード）を適用することもできる。また、ＩＣチップは内蔵型のものに限らず、これらの携帯機器に着脱自在に組み込まれるものであってもよい。
【００４８】
また、実施の形態１、２では、カード制御部３０において決済処理及びポイント算出処理を行ったが、リーダライタ部３３に決済処理部３１及びポイント算出部３２を備えた構成として、リーダライタ部３３においてこれらの処理を行ってもよい。この場合、ポイントの算出方法として、１商品＝１ポイントとして全商品に対して同じポイント数を付与する方法の他に、例えば１０円＝１ポイントとすることによって引落額（商品価格）に応じたポイント数を付与する方法を適用することもできる。
【図面の簡単な説明】
【００４９】
【図１】本発明の実施の形態１である自動販売機システムに適用される自動販売機の正面図である。
【図２】本発明の実施の形態１である自動販売機システムのシステム構成の概略を示すブロック図である。
【図３】本発明の実施の形態１である自動販売機の制御手段により実行される商品販売時の処理制御例を示す概略フローチャートである。
【図４】本発明の実施の形態２である自動販売機システムに適用される自動販売機の正面図である。
【図５】本発明の実施の形態２である自動販売機システムのシステム構成の概略を示すブロック図である。
【図６】本発明の実施の形態２である自動販売機の制御手段により実行される商品販売時の処理制御例を示す概略フローチャートである。
【図７】本発明の実施の形態２である自動販売機の制御手段により実行される商品販売時の処理制御例を示す概略フローチャートである。
【符号の説明】
【００５０】
１０  自動販売機
１２  商品選択釦
２２  商品搬出部
３０  カード制御部
３１  決済処理部
３２  ポイント算出部
３３  リーダライタ部
３５  磁気カード制御部
３６  （磁気カードの）ポイント算出部
３７  磁気カードリーダライタ部
４０  磁気カード
４２  （磁気カードの）累積ポイント格納部
５０  携帯電話端末
５１  ＩＣメモリ
５４  電子マネー情報格納部
５５  ポイント情報格納部
１００  マスタ制御部
【図１】
2008059526.tif 000003
【図２】
2008059526.tif 000004
【図３】
2008059526.tif 000005
【図４】
2008059526.tif 000006
【図５】
2008059526.tif 000007
【図６】
2008059526.tif 000008
【図７】
2008059526.tif 000009